(57)【要約】【課題】壁面に室内機が設けられている場合でも簡便に壁紙の施工ができる壁紙の施工方法等を提供する。【解決手段】空気調和装置の室内機２を壁面から取外し、空気調和装置の室外機と室内機２とが配管４によってつながった状態のまま、仮置き台１の、高さが可変な頂部フレーム４０ｂの上に仮置きする。そして、壁面に貼られていた壁紙３を剥がして新たな壁紙３’を施工し、室内機２を壁面に取付ける。仮置き台１は、ベースフレーム１０、側面フレーム２０ａ、２０ｂ、可動フレーム３０ａ、３０ｂ、下部フレーム４０ａ、頂部フレーム４０ｂ等によって構成され、折り畳み可能である。【選択図】図１
2018025048.tif 000002
【特許請求の範囲】
【請求項１】
空気調和装置の室内機を壁面から取外し、空気調和装置の室外機と前記室内機とが配管によってつながった状態のまま、仮置き台の、高さが可変な載置部に前記室内機を仮置きする工程と、
前記壁面に壁紙を施工する工程と、
前記室内機を前記壁面に取付ける工程と、
を有することを特徴とする壁紙の施工方法。
【請求項２】
前記壁面に壁紙を施工する際、前記壁面に貼られていた壁紙を剥がし、新しい壁紙を施工することを特徴とする請求項１記載の壁紙の施工方法。
【請求項３】
前記仮置き台は折り畳み可能であることを特徴とする請求項１または請求項２記載の壁紙の施工方法。
【請求項４】
前記仮置き台は、本体フレームと、前記載置部である頂部フレームとを有することを特徴とする請求項１から請求項３のいずれかに記載の壁紙の施工方法。
【請求項５】
前記本体フレームは、ベースフレームと、一対の側面フレームとを有し、
各側面フレームは、ベースフレームの幅方向の両端部のそれぞれに平面内で回転可能に取付けられ、
上下動可能な可動フレームが各側面フレームに取付けられ、
前記頂部フレームの一端に、一方の前記可動フレームの頂部に引掛けるためのフックが設けられ、
前記頂部フレームの他端が、他方の前記可動フレームの頂部に鉛直面内で回転可能に取付けられたことを特徴とする請求項４記載の壁紙の施工方法。
【請求項６】
いずれかの前記側面フレームが、前記ベースフレームの幅方向の端部の前方に設けられた柱材に取付けられたことを特徴とする請求項５記載の壁紙の施工方法。
【請求項７】
前記仮置き台の下部に設けられる下部フレームをさらに有し、
前記下部フレームの一端に、一方の前記側面フレームに引掛けるためのフックが設けられ、
前記下部フレームの他端が、他方の前記側面フレームに鉛直面内で回転可能に取付けられたことを特徴とする請求項５または請求項６記載の壁紙の施工方法。
【請求項８】
前記他方の側面フレームに、前記下部フレームに引掛けるためのフックが設けられたことを特徴とする請求項７記載の壁紙の施工方法。
【請求項９】
壁面に壁紙を施工する際に、前記壁面に取付けられていた空気調和装置の室内機を仮置きするための仮置き台であって、
前記室内機を載置するための載置部を有し、
前記載置部の高さが可変であることを特徴とする仮置き台。
【請求項１０】
折り畳み可能であることを特徴とする請求項９記載の仮置き台。
【請求項１１】
本体フレームと、前記載置部である頂部フレームとを有することを特徴とする請求項９または請求項１０に記載の仮置き台。
【請求項１２】
前記本体フレームは、ベースフレームと、一対の側面フレームとを有し、
各側面フレームは、ベースフレームの幅方向の両端部のそれぞれに平面内で回転可能に取付けられ、
上下動可能な可動フレームが各側面フレームに取付けられ、
前記頂部フレームの一端に、一方の前記可動フレームの頂部に引掛けるためのフックが設けられ、
前記頂部フレームの他端が、他方の前記可動フレームの頂部に鉛直面内で回転可能に取付けられたことを特徴とする請求項１１記載の仮置き台。
【請求項１３】
いずれかの前記側面フレームが、前記ベースフレームの幅方向の端部の前方に設けられた柱材に取付けられたことを特徴とする請求項１２記載の仮置き台。
【請求項１４】
前記仮置き台の下部に設けられる下部フレームをさらに有し、
前記下部フレームの一端に、一方の前記側面フレームに引掛けるためのフックが設けられ、
前記下部フレームの他端が、他方の前記側面フレームに鉛直面内で回転可能に取付けられたことを特徴とする請求項１２または請求項１３記載の仮置き台。
【請求項１５】
前記他方の側面フレームに、前記下部フレームに引掛けるためのフックが設けられたことを特徴とする請求項１４記載の仮置き台。
【発明の詳細な説明】
【技術分野】
【０００１】
本発明は、壁紙の施工方法、およびこれに用いる仮置き台に関する。
【背景技術】
【０００２】
壁紙が古くなった、模様替えをしたい等の理由で現在貼られている壁紙を剥がして新しい壁紙に貼り替える際、壁面に設置されている空気調和装置の室内機（エアコン）の取り扱いが問題となることがある（例えば特許文献１参照）。
【０００３】
室内機を設置したまま目に見える範囲の壁紙だけを貼り替えるケースもあり、簡易に済ますことができるが、後になって室内機を取外したり別の室内機と交換したりした場合、新しい壁紙と古い壁紙が継ぎ接ぎとなっている箇所が露出して見栄えが悪い。高性能化が進むに連れて室内機も小型化する傾向にあり、室内機を新たなものに交換することで古い壁紙が見えてしまいやすい。
【０００４】
そのような見栄えの悪さを防ぐという観点からは、室内機を一旦壁面から取外してしまい、室内機の裏側も含めて壁紙を全面的に貼り替えた後、室内機を壁面に再度設置することが有効である。
【先行技術文献】
【特許文献】
【０００５】
【特許文献１】特開2011-33248号公報
【発明の概要】
【発明が解決しようとする課題】
【０００６】
空気調和装置の室内機と室外機との間には冷媒等を流通させるための配管が接続されており、上記した壁紙の貼替作業において室内機を一旦壁面から取外す場合、室内機と配管の連結を外し、床面などの安定した箇所に室内機を仮置きすることが多い。
【０００７】
そのため、室内機を再度設置する際に配管と室内機を再度連結してガスを充填するなどの作業が必要となり、煩雑である。しかもこの作業は壁紙の施工者ではなく電気工を専門とする別の業者が行うことが通常であり、作業者の手配にかかる労力やコストが増大するという課題があった。
【０００８】
本発明は上記の問題に鑑みてなされたものであり、壁面に室内機が設けられている場合にも簡便に壁紙の施工ができる壁紙の施工方法等を提供することを目的とする。
【課題を解決するための手段】
【０００９】
前述した課題を解決するための第１の発明は、空気調和装置の室内機を壁面から取外し、空気調和装置の室外機と前記室内機とが配管によってつながった状態のまま、仮置き台の、高さが可変な載置部に前記室内機を仮置きする工程と、前記壁面に壁紙を施工する工程と、前記室内機を前記壁面に取付ける工程と、を有することを特徴とする壁紙の施工方法である。
【００１０】
本発明の壁紙の施工方法によれば、室内機を壁面から取外した後、室内機と配管の連結を外すことなく室内機の近傍に配置した仮置き台の載置部の上に室内機を仮置きすることで、簡便、低コスト且つ安全に室内機の裏側を含めた壁紙の施工を行うことができる。室内機が設置される高さは部屋によって異なるが、仮置き台の載置部の高さは可変なので、載置部の高さを調整することで室内機の設置高さに依らず室内機を安定して仮置きすることが可能となり、作業中に室内機が転落するといった危険を防ぐことができる。
【００１１】
本発明では、前記壁面に壁紙を施工する際、前記壁面に貼られていた壁紙を剥がし、新しい壁紙を施工することもできる。
このように、室内機を取外すことで元あった壁紙も容易に剥がすことができ、壁紙の貼替を好適に行うことができる。
【００１２】
前記仮置き台は折り畳み可能であることが望ましい。
仮置き台を折り畳み可能とすることで持ち運びが容易になり、コンパクトになるので住居内に搬入して使用するのも容易になる。
【００１３】
前記仮置き台は、本体フレームと、前記載置部である頂部フレームとを有することが望ましい。
仮置き台をフレーム状に構成することで軽量化でき、持ち運びや使用が容易になる。
【００１４】
前記本体フレームは、ベースフレームと、一対の側面フレームとを有し、各側面フレームは、ベースフレームの幅方向の両端部のそれぞれに平面内で回転可能に取付けられ、上下動可能な可動フレームが各側面フレームに取付けられ、前記頂部フレームの一端に、一方の前記可動フレームの頂部に引掛けるためのフックが設けられ、前記頂部フレームの他端が、他方の前記可動フレームの頂部に鉛直面内で回転可能に取付けられることが望ましい。
これにより、頂部フレームの高さを可動フレームの上下動により簡単に調整できる。また、一方の可動フレームに、他方の可動フレームに設けた頂部フレームのフックを引掛けることで、可動フレーム同士の間隔を固定して仮置き台の形状を維持することができ、仮置き台を安定して配置できる。また側面フレーム等を回転させることにより簡単に仮置き台を折り畳むことができる。
【００１５】
いずれかの前記側面フレームが、前記ベースフレームの幅方向の端部の前方に設けられた柱材に取付けられることが望ましい。
これにより、仮置き台の側面フレームを前後に重ねて折り畳みやすくなる。
【００１６】
前記仮置き台の下部に設けられる下部フレームをさらに有し、前記下部フレームの一端に、一方の前記側面フレームに引掛けるためのフックが設けられ、前記下部フレームの他端が、他方の前記側面フレームに鉛直面内で回転可能に取付けられることが望ましい。
一方の側面フレームに、他方の側面フレームに設けた下部フレームのフックを引掛けることで、側面フレーム同士の間隔を固定し、仮置き台をさらに安定して配置することができる。
【００１７】
前記他方の側面フレームに、前記下部フレームに引掛けるためのフックが設けられることが望ましい。
これにより、仮置き台を折り畳む際に下部フレームを側面フレームに沿って保持し、下部フレームが開くのを防止することができる。
【００１８】
第２の発明は、壁面に壁紙を施工する際に、前記壁面に取付けられていた空気調和装置の室内機を仮置きするための仮置き台であって、前記室内機を載置するための載置部を有し、前記載置部の高さが可変であることを特徴とする仮置き台である。
【００１９】
前記仮置き台は折り畳み可能であることが望ましい。
また、前記仮置き台は、本体フレームと、前記載置部である頂部フレームとを有することも望ましい。
【００２０】
前記本体フレームは、ベースフレームと、一対の側面フレームとを有し、各側面フレームは、ベースフレームの幅方向の両端部のそれぞれに平面内で回転可能に取付けられ、上下動可能な可動フレームが各側面フレームに取付けられ、前記頂部フレームの一端に、一方の前記可動フレームの頂部に引掛けるためのフックが設けられ、前記頂部フレームの他端が、他方の前記可動フレームの頂部に鉛直面内で回転可能に取付けられることも望ましい。
また、いずれかの前記側面フレームが、前記ベースフレームの幅方向の端部の前方に設けられた柱材に取付けられることも望ましい。
さらに、前記仮置き台の下部に設けられる下部フレームをさらに有し、前記下部フレームの一端に、一方の前記側面フレームに引掛けるためのフックが設けられ、前記下部フレームの他端が、他方の前記側面フレームに鉛直面内で回転可能に取付けられることも望ましい。
また、前記他方の側面フレームに、前記下部フレームに引掛けるためのフックが設けられてもよい。
【発明の効果】
【００２１】
本発明により、壁面に室内機が設けられている場合にも簡便に壁紙の施工ができる壁紙の施工方法等を提供することができる。
【図面の簡単な説明】
【００２２】
【図１】壁紙の施工方法の概略を示す図。
【図２】仮置き台１の詳細を示す図。
【図３】可動フレーム３０ａ、３０ｂを上昇させた状態を示す図。
【図４】配管４近傍の領域に壁紙３’を施工する場合を示す図。
【図５】仮置き台１の折り畳みについて説明する図。
【図６】仮置き台１の折り畳みについて説明する図。
【図７】仮置き台１の折り畳みについて説明する図。
【図８】保持部２３ａ、２３ｂを示す図。
【発明を実施するための形態】
【００２３】
以下、図面に基づいて本発明の好適な実施形態について詳細に説明する。
【００２４】
図１は本発明の実施形態に係る壁紙の施工方法の概略を示す図である。図１（ａ）に示すように、本実施形態では壁面に壁紙３が予め貼られており、空気調和装置の室内機２（エアコン）が壁紙３の上から壁面に設置されているものとする。
【００２５】
本実施形態の壁紙の施工方法では、この壁紙３を新しい壁紙に貼替えるものとし、壁紙の貼替時に室内機２を一旦壁面から取外して仮置きするための仮置き台１を用いる。仮置き台１は室内機２の近傍に設置される。
【００２６】
仮置き台１は、ベースフレーム１０、側面フレーム２０ａ、２０ｂ、可動フレーム３０ａ、３０ｂ、下部フレーム４０ａ、および頂部フレーム４０ｂを有する。これらのフレームはアルミ等の金属により形成し、軽量なものとする。ベースフレーム１０と側面フレーム２０ａ、２０ｂは本発明における仮置き台１の本体フレームを構成し、頂部フレーム４０ｂは室内機２を載置するための載置部を構成する。
【００２７】
図２は仮置き台１を示す図である。仮置き台１の全体のサイズは、幅（矢印ａに示す方向の長さ）が800mm程度、奥行き（矢印ｂに示す方向の長さ）が700mm程度、高さが1800mm程度であるが、これに限ることはない。
【００２８】
ベースフレーム１０は仮置き台１の背面に設けられる門型のフレームであり、水平部材１１０と、水平部材１１０の両端から下方に延びる鉛直部材１１１ａ、１１１ｂを有する。
【００２９】
鉛直部材１１１ａ、１１１ｂの下部にはフラットバー１２が設けられ、ベースフレーム１０の幅方向の端部にある鉛直部材１１１ｂの前方には、鉛直方向の柱材１３が設けられる。なお、前方とはベースフレーム１０に対して側面フレーム２０ａ、２０ｂが配置される方向をいうものとする。
【００３０】
側面フレーム２０ａ、２０ｂは仮置き台１の両側面に設けられる一対のフレームであり、ベースフレーム１０の幅方向の両端部のそれぞれに取付けられる。側面フレーム２０ａ、２０ｂは、鉛直部材２１０に水平部材２１１を上下２段に設けて略ヒの字状に構成される。
【００３１】
一方の側面フレーム２０ａでは、水平部材２１１のベースフレーム１０側の端部が、ベースフレーム１０の幅方向の端部にある鉛直部材１１１ａに連結部２２によって平面内で回転可能に取付けられる。連結部２２は例えば水平部材２１１のベースフレーム１０側の端部に設けられた筒体であり、この筒体にベースフレーム１０の鉛直部材１１１ａが通される。
【００３２】
側面フレーム２０ａの鉛直部材２１０には、可動フレーム３０ａを上下動可能に保持する保持部２３が設けられる。保持部２３は、例えば、レバー操作によって後述する可動フレーム３０ａの鉛直部材３１１ａのリブ３１２の把持および把持状態の解除を可能としたものである。リブ３１２を把持すれば可動フレーム３０ａを固定でき、把持状態を解除すれば可動フレーム３０ａを上下動させることが可能になる。
【００３３】
他方の側面フレーム２０ｂでは、水平部材２１１のベースフレーム１０側の端部が、ベースフレーム１０の幅方向の端部にある柱材１３に連結部２２によって上記と同様に取付けられる。また鉛直部材２１０には、上記と同様、可動フレーム３０ｂを上下動可能に保持する保持部２３が設けられる。
【００３４】
側面フレーム２０ｂでは、さらに、上段の水平部材２１１に下部フレーム４０ａを引掛けて保持するためのフック２４が設けられる。フック２４は当該水平部材２１１に鉛直面内で回転可能に取付けられる。
【００３５】
可動フレーム３０ａ、３０ｂは仮置き台１の両側面に設けられるフレームであり、ベースフレーム１０および側面フレーム２０ａ、２０ｂ（本体フレーム）に上下動可能に取付けられる。可動フレーム３０ａ、３０ｂは門型のフレームであり、水平部材３１０と、水平部材３１０の両端から下方に延びる鉛直部材３１１ａ、３１１ｂを有する。
【００３６】
一方の可動フレーム３０ａでは、一方の鉛直部材３１１ａが側面フレーム２０ａの鉛直部材２１０に設けた保持部２３で保持される。鉛直部材３１１ａには鉛直方向に延びるリブ３１２が設けられており、保持部２３のレバー操作によってリブ３１２が把持される。
【００３７】
可動フレーム３０ａの他方の鉛直部材３１１ｂは、ベースフレーム１０の鉛直部材１１１ａに連結部３２によって上下動可能および平面内で回転可能に取付けられる。連結部３２は例えば鉛直部材３１１ｂに設けられた筒体であり、この筒体にベースフレーム１０の鉛直部材１１１ａが通される。
【００３８】
他方の可動フレーム３０ｂでは、鉛直部材３１１ａが側面フレーム２０ｂの鉛直部材２１０に設けた保持部２３によって上記と同様に保持され、鉛直部材３１１ｂがベースフレーム１０の柱材１３に連結部３２によって上記と同様に取付けられる。
【００３９】
下部フレーム４０ａは仮置き台１の下部に設けられるフレームであり、側面フレーム２０ａ、２０ｂの間に配置される。
【００４０】
下部フレーム４０ａは梯子状に形成され、一端にフック４３が設けられる。下部フレーム４０ａの他端は連結部４２によって側面フレーム２０ｂの下段の水平部材２１１に鉛直面内で回転可能に取付けられる。連結部４２は、例えば下部フレーム４０ａの上記他端に設けた筒体であり、この筒体に上記の水平部材２１１が通される。下部フレーム４０ａは、フック４３を側面フレーム２０ａの下段の水平部材２１１に引掛けて水平方向に配置される。
【００４１】
頂部フレーム４０ｂは仮置き台１の頂部に設けられるフレームであり、可動フレーム３０ａ、３０ｂの頂部の間に配置される。
【００４２】
頂部フレーム４０ｂも下部フレーム４０ａと同様、梯子状に形成され、一端にフック４３が設けられる。頂部フレーム４０ｂの他端は連結部４２によって可動フレーム３０ｂの頂部の水平部材３１０に鉛直面内で回転可能に取付けられる。頂部フレーム４０ｂは、フック４３を可動フレーム３０ａの頂部の水平部材３１０に引掛けて水平方向に配置される。
【００４３】
この仮置き台１は高さが可変であり、保持部２３による可動フレーム３０ａ、３０ｂの把持状態を解除して図３に示すように可動フレーム３０ａ、３０ｂを上方に移動させて頂部フレーム４０ｂの高さを調整し、その状態で可動フレーム３０ａ、３０ｂの位置を保持部２３によって固定できる。本実施形態では、住居等における通常の室内機２の設置高さや作業性を考慮して、頂部フレーム４０ｂの高さを1,600mm程度以上2,400mm程度以下の範囲で可変としているが、これに限ることはない。
【００４４】
こうして仮置き台１の頂部フレーム４０ｂの高さを図１（ｂ）に示すように室内機２の位置に合わせて調整した後、図１（ｃ）に示すように仮置き台１の頂部フレーム４０ｂの上に板材５を配置し、室内機２を壁面から一旦取外してその上に載置する。なお、板材５は予め頂部フレーム４０ｂの上に配置しておいてもよい。室内機２を壁面から取外して仮置きする際は、空気調和装置の室外機（不図示）と室内機２が配管４によってつながった状態のままとする。
【００４５】
板材５は室内機２の仮置き時の安定のために使用され、プラスチック板などを用いることができる。この他、住居内の物品等に仮置き台１が衝突して損傷を与えないように、必要に応じて各フレームの角部などにスポンジ等の保護材が巻かれる。
【００４６】
この後、図１（ｄ）に示すように壁紙３を剥がし、必要に応じて壁面の下地処理を行った後、図１（ｅ）に示すように壁面に新たな壁紙３’を貼付して施工することで壁紙の貼替が行われる。なお、配管４近傍の領域に壁紙３’を施工する場合は、図４（ａ）に示すように壁紙３’に予め切込み３０１を設けておき、図４（ｂ）に示すように切込み３０１を開き配管４を避けて貼付作業を行うとよい。適当な時点で配管４の形状に合わせたくり抜き部を切込み３０１に設け、図４（ｃ）に示すように配管４をくり抜き部３０２に通して壁紙３’を施工する。くり抜き部３０２をいつ形成するかは特に限定されず、壁紙３’の貼付作業前に予め切込み３０１とともにくり抜き部３０２を形成しておくことも可能である。
【００４７】
こうして壁紙３’の施工を行った後、図１（ｆ）に示すように室内機２を新たな壁紙３’の上から壁面に設置する。この後、仮置き台１の頂部フレーム４０ｂを元の高さに戻して板材５等を取外し、仮置き台１を撤去する流れとなる。
【００４８】
本実施形態の仮置き台１は折り畳むことが可能であり、コンパクトになって仮置き台１の撤去時および搬入時に持ち運びがしやすいようになっている。
【００４９】
仮置き台１を折り畳む際は、まず図５に示すように、下部フレーム４０ａのフック４３を側面フレーム２０ａの下段の水平部材２１１から外し、下部フレーム４０ａを側面フレーム２０ｂに向かって鉛直面内で回転させ、フック２４に引掛けて側面フレーム２０ｂに沿って保持する。
【００５０】
同様に、頂部フレーム４０ｂについても、フック４３を可動フレーム３０ａの水平部材３１０から外し、可動フレーム３０ｂに向かって鉛直面内で回転させる。頂部フレーム４０ｂは自重によって回転し可動フレーム３０ｂに沿って配置されるので、上記のようなフック２４は不要である。
【００５１】
次に、図６に示すように側面フレーム２０ａおよび可動フレーム３０ａをベースフレーム１０に向かって平面内で回転させ、ベースフレーム１０に沿って配置する。側面フレーム２０ａは連結部２２を中心として回転し、可動フレーム３０ａは連結部３２を中心として回転する。
【００５２】
その後、図７に示すように側面フレーム２０ｂおよび可動フレーム３０ｂをベースフレーム１０に向かって平面内で回転させ、先程の側面フレーム２０ａおよび可動フレーム３０ａの前からベースフレーム１０に沿って配置する。側面フレーム２０ｂは連結部２２を中心として回転し、可動フレーム３０ｂは連結部３２を中心として回転する。こうして仮置き台１を折り畳み、撤去時や搬入時などにコンパクトにして持ち運びしやすいようにできる。
【００５３】
以上説明したように、本実施形態によれば、室内機２を壁面から取外した後、室内機２と配管４の連結を外すことなく室内機２の近傍に配置した仮置き台１の頂部フレーム４０ｂの上に室内機２を仮置きすることで、簡便、低コスト且つ安全に室内機２の裏側を含めた壁紙３’の施工を行うことができる。室内機２が設置される高さは部屋によって異なるが、仮置き台１の頂部フレーム４０ｂの高さは可変なので、頂部フレーム４０ｂの高さを調整することで室内機２の設置高さに依らず室内機２を安定して仮置きすることが可能となり、作業中に室内機２が転落するといった危険を防ぐことができる。
【００５４】
また本実施形態では室内機２を取外すことで元あった壁紙３も容易に剥がすことができ、壁紙の貼替を好適に行うことができる。ただし、本実施形態は壁紙が貼られていない壁面に新たに壁紙を施工する場合にも適用可能である。
【００５５】
さらに、本実施形態では仮置き台１を折り畳み可能とすることで持ち運びが容易になり、コンパクトになるので住居内に搬入して使用するのも容易になる。また仮置き台１はフレーム状に構成されるので軽量化でき、持ち運びや使用が容易になる。
【００５６】
また、仮置き台１では頂部フレーム４０ｂの高さを可動フレーム３０ａ、３０ｂの上下動により簡単に調整することができる。さらに、可動フレーム３０ｂに設けた頂部フレーム４０ｂのフック４３を可動フレーム３０ａに引掛けることで可動フレーム３０ａ、３０ｂ同士の間隔を固定して仮置き台１の形状を維持することができ、仮置き台１を安定して配置することができる。
【００５７】
また、仮置き台１では側面フレーム２０ａ、２０ｂ等を回転させることにより仮置き台１を簡単に折り畳むことができ、側面フレーム２０ｂが側面フレーム２０ａより前方に位置するので、仮置き台１の側面フレーム２０ａ、２０ｂを前後に重ねて折り畳みやすくなる。
【００５８】
また、仮置き台１では側面フレーム２０ｂに設けた下部フレーム４０ａのフック４３を側面フレーム２０ａに引掛けることで側面フレーム２０ａ、２０ｂ同士の間隔を固定し、仮置き台１をさらに安定して配置することができる。仮置き台１を折り畳む際には、下部フレーム４０ａをフック２４に引掛けて側面フレーム２０ｂに沿って保持し、下部フレーム４０ａが開くのを防止することができる。
【００５９】
しかしながら、本発明はこれに限らない。例えば本実施形態の保持部２３は可動フレーム３０ａ、３０ｂの鉛直部材３１１ａのリブ３１２を把持するものであるが、保持部２３はこれに限らない。
【００６０】
例えば図８（ａ）の保持部２３ａに示すように、鉛直部材３１１ａを通した筒体の外側からネジ２３１を締め込んで当該ネジ２３１の先端によって鉛直部材３１１ａを押さえつける機構や、図８（ｂ）の保持部２３ｂに示すように、鉛直部材３１１ａを通した筒体の外側から鉛直部材３１１ａを貫通するピン２３２を差し込むことによって鉛直部材３１１ａの固定を行う機構などを用いることができる。
【００６１】
また、本実施形態では保持部２３のみで可動フレーム３０ａ、３０ｂを保持するようにしているが、連結部３２でも可動フレーム３０ａ、３０ｂの保持を行い、可動フレーム３０ａ、３０ｂの保持をそれぞれ２箇所で行うようにしてもよい。連結部３２における可動フレーム３０ａ、３０ｂの保持については、例えば図８（ａ）や図８（ｂ）の機構を適用して可動フレーム３０ａ、３０ｂをベースフレーム１０に固定することができる。
【００６２】
また本実施形態では、側面フレーム２０ｂをベースフレーム１０の鉛直部材１１１ｂに設けた柱材１３に連結することで側面フレーム２０ａよりも前方に配置しているが、これとは逆に、ベースフレーム１０の鉛直部材１１１ａに柱材１３を設け、当該柱材１３に側面フレーム２０ａを連結して側面フレーム２０ｂより前に配置してもよい。その他、ベースフレーム１０や側面フレーム２０ａ、２０ｂの下端にゴム等の滑り止めを設けることなども可能である。
【００６３】
また、仮置き台１はフレーム状に構成して頂部フレーム４０ｂの高さを可変としているが、その構成も特に限定されず、室内機２を載置する載置部の高さが可変なものであればよい。例えば載置部が油圧や空気圧等の機構により上下するようなものであってもよい。
【００６４】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００６５】
１；仮置き台
２；室内機
３、３’；壁紙
４；配管
５；ボード
１０；ベースフレーム
２０ａ、２０ｂ；側面フレーム
３０ａ、３０ｂ；可動フレーム
４０ａ；下部フレーム
４０ｂ；頂部フレーム
【図１】
2018025048.tif 000003
【図２】
2018025048.tif 000004
【図３】
2018025048.tif 000005
【図４】
2018025048.tif 000006
【図５】
2018025048.tif 000007
【図６】
2018025048.tif 000008
【図７】
2018025048.tif 000009
【図８】
2018025048.tif 000010